(57)【要約】【課題】必要に応じて静音モードへ移行することができ、乾燥能力を維持した状態で静音モードを実現することができ、また乾燥時間を短くすることができる手乾燥装置を提供する。【解決手段】挿入した手を乾燥する乾燥室１と、前記乾燥室１に手が挿入されたことを検出する手検出装置２と前記乾燥室１内に吹き出す空気を絞り込むノズル３とこのノズル３へ空気を送り込むブロアモータ４を備えた送風装置５と、前記送風装置５の風速制御を行う制御装置６とを備え、前記制御装置６は、所定の状態を検知して前記送風装置５の風速を調整する静音モードへ移行させる静音移行装置７を備えた。【選択図】図１
2011083467.tif 000002
【特許請求の範囲】
【請求項１】
挿入した手を乾燥する乾燥室と、前記乾燥室に手が挿入されたことを検出する手検出装置と前記乾燥室内に吹き出す空気を絞り込むノズルとこのノズルへ空気を送り込むブロアモータを備えた送風装置と、前記送風装置の風速制御を行う制御装置とを備え、前記制御装置は、所定の状態を検知して前記送風装置の風速を調整する静音モードへ移行させる静音移行装置を備えた手乾燥装置。
【請求項２】
挿入した手を乾燥する乾燥室と、前記乾燥室に手が挿入されたことを検出する手検出装置と前記乾燥室内に吹き出す空気を絞り込むノズルとこのノズルへ空気を送り込むブロアモータとこのノズルから噴出す空気の加熱をする加熱装置とを備えた送風装置と、前記送風装置の風速制御および加熱装置の加熱量の制御を行う制御装置とを備え、前記制御装置は、所定の状態を検知して前記送風装置の風速を調整する静音モードへ移行させる静音移行装置を備えた手乾燥装置。
【請求項３】
制御装置は、送風装置の風速を調整したときに乾燥能力を維持するように加熱装置を制御する請求項２記載の手乾燥装置。
【請求項４】
制御装置は、ブロアモータの回転数を下げて、前記ノズルから出る風速を調整する請求項１または２記載の手乾燥装置。
【請求項５】
ノズルに通風断面積を調整する絞り装置を備え、制御装置は前記絞り装置を制御して前記ノズルから出る風速を調整する請求項１または２記載の手乾燥装置。
【請求項６】
請求項１または２記載の手乾燥装置はトイレに設置し、静音移行装置は、前記トイレの外側に配置した人感センサであって、制御装置は、前記人感センサが人を検知した場合に前記送風装置の風速を調整する静音モードへ移行させることを特徴とする手乾燥装置。
【請求項７】
静音移行装置は、請求項１または２記載の手乾燥装置の設置場所の明るさを検知する照度センサであって、制御装置は、前記照度センサがあらかじめ設定した明るさよりも暗い場合に前記送風装置の風速を調整する静音モードへ移行させることを特徴とする手乾燥装置。
【請求項８】
静音移行装置は、所定の時刻を管理する時計機能を内蔵し、制御装置は、所定の時刻に前記送風装置の風速を調整する静音モードへ移行させることを特徴とする請求項１または２記載の手乾燥装置。
【請求項９】
時計機能は無線で時報を受信する受信機を備えている請求項８記載の手乾燥装置。   
【請求項１０】
所定の時刻を任意に設定変更する時刻設定手段を備えた請求項８記載の手乾燥装置。
【発明の詳細な説明】
【技術分野】
【０００１】
本発明は、手を乾燥させる送風式の手乾燥装置に関する。
【背景技術】
【０００２】
従来、この種の手乾燥装置では、トイレを使用した後や汚れた手を洗った後、ハンカチやタオルを使用せず、またハンカチなどを収納しているポケットを濡らすことなく、手を乾燥させる送風式の手乾燥装置が実用に供されている。
【０００３】
この手乾燥装置は、送風装置と加熱装置を内蔵し、手検出装置で、差し出された手を検出したとき運転を開始し、濡れている手の表面を温風により乾燥させるものである。
【先行技術文献】
【特許文献】
【０００４】
【特許文献１】特開平１０−０７１１０１号公報
【発明の概要】
【発明が解決しようとする課題】
【０００５】
このような従来の手乾燥装置では、静かに運転したい場合においても、静音モードを備えていないという課題があり、また騒音が大きくユーザーに不快感を与えているという課題がある。本発明は、このような従来の課題を解決するものであり、静音モード及び、静音移行装置を備えることで必要に応じて静音モードへ移行することができ、また騒音を下げユーザーへの不快感を解消することができる手乾燥装置を提供することを目的としている。
【０００６】
また、静音モード時に送風装置の風速を調整することで乾燥能力を維持できないという課題があり、また乾燥時間が長くなるという課題がある。本発明は、このような従来の課題を解決するものであり、静音モード及び、静音移行装置と加熱装置を備えた送風装置とを備えることで必要に応じて静音モードへ移行することができ、乾燥能力を維持した状態で静音モードを実現することができ、また乾燥時間を短くすることができる手乾燥装置を提供することを目的としている。
【課題を解決するための手段】
【０００７】
そしてこの目的を達成するために、本発明は、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータを備えた送風装置と、前記送風装置の風速制御を行う制御装置とを備え、前記制御装置は、所定の状態を検知して前記送風装置の風速を調整する静音モードへ移行させる静音移行装置を備えた。
【０００８】
また、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータとこのノズルから噴出す空気の加熱をする加熱装置とを備えた送風装置と、前記送風装置の風速制御および加熱装置の加熱量の制御を行う制御装置とを備え、前記制御装置は、所定の状態を検知して前記送風装置の風速を調整する静音モードへ移行させる静音移行装置を備えた。
【０００９】
また、制御装置は、ブロアモータの回転数を下げて、前記ノズルから出る風速を調整するものである。
【００１０】
また、ノズルに通風断面積を調整する絞り装置を備え、制御装置は前記絞り装置を制御して前記ノズルから出る風速を調整するものである。
【００１１】
また、ノズルに通風断面積を調整する絞り装置を備え、制御装置は前記絞り装置を制御して前記ノズルから出る風速を調整するものである。
【００１２】
また、手乾燥装置はトイレに設置し、静音移行装置は、前記トイレの外側に配置した人感センサであって、制御装置は、前記人感センサが人を検知した場合に前記送風装置の風速を調整する静音モードへ移行させることを特徴とする。
【００１３】
また、静音移行装置は、請求項１記載の手乾燥装置の設置場所の明るさを検知する照度センサであって、制御装置は、前記照度センサがあらかじめ設定した明るさよりも暗い場合に前記送風装置の風速を調整する静音モードへ移行させるものである。
【００１４】
また、静音移行装置は、所定の時刻を管理する時計機能を内蔵し、制御装置は、所定の時刻に記送風装置の風速を調整する静音モードへ移行させるものである。
【００１５】
また、時計機能は無線で時報を受信する受信機を備えたものである。
【００１６】
また、所定の時刻を任意に設定変更する時刻設定手段を備えたものである。
【発明の効果】
【００１７】
本発明によれば、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータを備えた送風装置と、前記送風装置の風速制御を行う制御装置とを備え、前記制御装置は、所定の状態を検知して前記送風装置の風速を調整する静音モードへ移行させる静音移行装置を備えた手乾燥装置の構成にしたことにより、制御装置は、静音移行装置が所定の状態を検知することで必要に応じて静音モードへ移行させることとなるので、騒音を下げユーザーへの不快感を解消することができるという効果を得ることができる。
【００１８】
また、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータとこのノズルから噴出す空気の加熱をする加熱装置とを備えた送風装置と、前記送風装置の風速制御および加熱装置の加熱量の制御を行う制御装置とを備え、前記制御装置は、所定の状態を検知して前記送風装置の風速を調整する静音モードへ移行させる静音移行装置を備えた手乾燥装置の構成にしたことにより、制御装置は、静音移行装置が所定の状態を検知することで必要に応じて加熱装置の加熱量を制御しながら、静音モードへ移行させることとなり、騒音を下げユーザーへの不快感を解消することができるという効果を得ることができる。
【図面の簡単な説明】
【００１９】
【図１】本発明の実施の形態１の手乾燥装置図
【図２】本発明の実施の形態２の手乾燥装置図
【図３】本発明の実施の形態３の手乾燥装置及び設置場所周辺図
【発明を実施するための形態】
【００２０】
本発明の請求項１記載の発明は、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータを備えた送風装置と、前記送風装置の風速制御を行う制御装置とを備え、前記制御装置は、所定の状態を検知して前記送風装置の風速を調整する静音モードへ移行させる静音移行装置を備えたという構成を有する。これにより、制御装置は、静音移行装置が所定の状態を検知することで必要に応じて静音モードへ移行させることとなるので、運転時の騒音を下げユーザーへの不快感を解消することができるという効果を奏する。
【００２１】
また本発明の請求項２記載の発明は、挿入した手を乾燥する乾燥室と、前記乾燥室に手が挿入されたことを検出する手検出装置と前記乾燥室内に吹き出す空気を絞り込むノズルとこのノズルへ空気を送り込むブロアモータとこのノズルから噴出す空気の加熱をする加熱装置とを備えた送風装置と、前記送風装置の風速制御および加熱装置の加熱量の制御を行う制御装置とを備え、前記制御装置は、所定の状態を検知して前記送風装置の風速を調整する静音モードへ移行させる静音移行装置を備えたという構成を有する。これにより、制御装置は、静音移行装置が所定の状態を検知することで必要に応じて加熱装置の加熱量を制御しながら、静音モードへ移行させることとなり、運転時の騒音を下げユーザーへの不快感を解消することができるという効果を奏する。
【００２２】
また本発明の請求項３記載の発明は、制御装置は、送風装置の風速を調整したときに乾燥能力を維持するように加熱装置を制御するという構成を有する。これにより、制御装置は、静音移行装置が所定の状態を検知することで必要に応じて加熱装置の加熱量を乾燥能力を維持するように制御しながら、静音モードへ移行させることとなり、運転時の騒音を下げユーザーへの不快感を解消することができるという効果を奏する。
【００２３】
また本発明の請求項４記載の発明は、制御装置は、ブロアモータの回転数を下げて、前記ノズルから出る風速を調整する構成を有する。これにより、ブロアモータの回転数を下げることでノズルから出る風速を下げることができ、運転時の騒音を下げることができるという効果を奏する。
【００２４】
また本発明の請求項５記載の発明は、ノズルに通風断面積を調整する絞り装置を備え、制御装置は前記絞り装置を制御して前記ノズルから出る風速を調整する構成を有する。これにより、制御装置は、絞り装置を制御して通風面積を大きくすることでノズルから出る風速を下げることができ、運転時の騒音を下げることができるという効果を奏する。
【００２５】
また本発明の請求項６記載の発明は、手乾燥装置はトイレに設置し、静音移行装置は、前記トイレの外側に配置した人感センサであって、制御装置は、前記人感センサが人を検知した場合に前記送風装置の風速を調整する静音モードへ移行させる構成を有する。これにより、人感センサでトイレの外で待っている人を検知し、制御装置は、送風装置の風速を調整することで静音モードへ移行させることができ、運転時の騒音を下げユーザーへの不快感を解消することができるという効果を奏する。
【００２６】
また本発明の請求項７記載の発明は、静音移行装置は、手乾燥装置の設置場所の明るさを検知する照度センサであって、制御装置は、前記照度センサがあらかじめ設定した明るさよりも暗い場合に前記送風装置の風速を調整する静音モードへ移行させる構成を有する。これにより、夜間に相当する照度センサであらかじめ設定した明るさよりも暗い場合に、制御装置は、送風装置の風速を調整することで静音モードへ移行させることができ、運転時の騒音を下げることができるという効果を奏する。
【００２７】
また本発明の請求項８記載の発明は、静音移行装置は、所定の時刻を管理する時計機能を内蔵し、制御装置は、所定の時刻に記送風装置の風速を調整する静音モードへ移行させる構成を有する。これにより、時計機能にて現在時刻を管理し、制御装置は、所定の時刻として夜間例えば６時以降は送風装置の風速を調整することで静音モードへ移行させることができ、運転時の騒音を下げることができるという効果を奏する。
【００２８】
また本発明の請求項９記載の発明は、時計機能は無線で時報を受信する受信機を備えているものである。これにより、無線で時報を受信して現在時刻を管理し、夜間例えば６時以降は送風装置の風速を調整することで静音モードへ移行させることができ、運転時の騒音を下げることができるという効果を奏する。
【００２９】
また本発明の請求項１０記載の発明は、所定の時刻を任意に設定変更する時刻設定手段を備えたものである。これにより、ユーザーの設定した時刻に静音モードへ移行させることができ、運転時の騒音を下げることができるという効果を奏する。
【００３０】
以下、本発明の実施の形態について図面を参照しながら説明する。
【００３１】
（実施の形態１）
以下、本発明の実施の形態１について図１を参照しながら説明する。
【００３２】
図１は本発明に関わる手乾燥装置の概略構成である。図１に示すように、手を乾かすための乾燥室１に手を挿入すると手検出装置２にて検出し、制御装置６はブロアモータ４を回転させ、送風装置５にて風をノズル３へ送り、ノズル３より乾燥室１内の手に向けて風を当てて、手についた水を吹き飛ばし手を乾燥させる。また、静音移行装置７は設置場所の明るさを検知する照度センサであって、設置場所の明るさを制御装置６で認識できる構成である。
【００３３】
本構成において、制御装置６は前記照度センサからの情報により、あらかじめ設定した明るさよりも暗い場合にブロアモータ４の回転数を下げてノズル３から出る風速を調整することにより、運転時の騒音を下げることができる。
【００３４】
本発明の手乾燥装置を一般居住空間に設置した場合、夜間に同居住者に大きな騒音による不快感を与えることない手乾燥装置を提供できる。
【００３５】
（実施の形態２）
以下、本発明の実施の形態２について図２を参照しながら説明する。
【００３６】
実施の形態１と同一部分は同一番号を附し、詳細な説明を省略する。
【００３７】
図２に示すように、送風装置５内部に加熱装置８を備え、制御装置６により前記ヒータを制御できまた、絞り装置９によりノズル３の通風断面積を制御できる。静音移行装置７は制御装置６内に内蔵された時計機能であり、制御装置６は時刻設定手段１０からの情報を管理できる構成である。
【００３８】
本構成において、静音モードに移行する時刻を時刻設定手段１０例えばロータリースイッチにて設定し、前記内蔵された時計機能に時刻を管理して設定された時刻になったら制御装置６は、ブロアモータ４を回転させ、それと同時に加熱装置８例えばヒータを乾燥能力を維持するように駆動させることにより、送風装置５は暖められた風をノズル３へ送る。また、制御装置６は絞り装置９によりノズル３の通風断面積を広くしノズル３から出る風速を調整することにより、運転時の騒音を下げることができる。
【００３９】
本発明の手乾燥装置を一般居住空間に設置した場合、夜間に同居住者に大きな騒音による不快感を与えることない手乾燥装置を提供できる。
【００４０】
また前記内蔵された時計機能は、無線で時報を受信する受信機に置き換えても同様な効果があることは言うまでもない。
【００４１】
（実施の形態３）
以下、本発明の実施の形態３について図３を参照しながら説明する。
【００４２】
実施の形態１と同一部分は同一番号を附し、詳細な説明を省略する。
【００４３】
図３に示すように本発明の手乾燥装置はトイレ１１に設置され、トイレの扉１２に設置する静音移行装置７は人感センサであり、トイレの外で待っている人を検知できる構成である。
【００４４】
本構成において、トイレの外で待っている人を前記人感センサで検知すると本発明の手乾燥装置は風速を調整することにより、運転時の騒音を下げることができる。
【００４５】
本発明の手乾燥装置を店舗に設置した場合、トイレを待っている人に大きな騒音による不快感を与えることない手乾燥装置を提供できる。
【産業上の利用可能性】
【００４６】
本発明は手乾燥装置を静音モードへ移行させる静音移行装置として提案しているが、静音移行装置は換気装置においても適用でき、同様な効果が期待できる。
【符号の説明】
【００４７】
１    乾燥室
２    手検出装置
３    ノズル
４    ブロアモータ
５    送風装置
６    制御装置
７    静音移行装置
８    加熱装置
９    絞り装置
１０  時刻設定手段
１１  トイレ
１２  トイレの扉
【図１】
2011083467.tif 000003
【図２】
2011083467.tif 000004
【図３】
2011083467.tif 000005